(57)【特許請求の範囲】
【請求項１】
離間して配置された２部材の間に突っ張り状に配置されるべく、一方の部材に支持される第一支持部と、他方の部材に支持される第二支持部と、前記第一及び第二支持部を連結する連結部とが備えられ、
前記連結部に、第一支持部を回動自在に支持する第一ブラケットと、第二支持部を突っ張り方向移動自在に支持する第二ブラケットとが設けられ、
前記第一ブラケットに、２部材の間に押し入れるときに第一支持部を一方の部材に押し当てて回動しながら押し入れて、押し入れた状態で回動を規制するストッパと、このストッパに当接した第一支持部の戻り回動を阻止するロック装置とが設けられ、
前記第二ブラケットに、２部材の間に押し入れるときに前記第二支持部を突っ張り方向に付勢する弾性部材が設けられ、この弾性部材は押し入れた状態で突っ張り強さを強く調整可能にしていることを特徴とする離間した部材への装着装置。
【請求項２】
前記連結部はヘッドレースで形成され、このヘッドレースに対して前記第一ブラケットと第二ブラケットとが突っ張り方向取付け位置調整自在に設けられていることを特徴とする請求項１記載の離間した部材への装着装置。
【請求項３】
前記第一支持部は、Ｌ字型の支持板の背面にアームが突設され、このアームに前記一方の部材に沿う支軸が突設されており、前記ロック装置は第一ブラケット内に摺動自在に設けられていて前記アームに第一ブラケットとの隙間に入り込み可能な楔で形成されていることを特徴とする請求項１又は２記載の離間した部材への装着装置。
【請求項４】
前記第二支持部は、支持板の背面にアームが突設され、このアームが第二ブラケット内に突っ張り方向摺動自在に嵌合されており、前記弾性部材は第二ブラケット内に設けた圧縮スプリングで形成され、前記第二ブラケット内には回動することにより前記圧縮スプリングの強さを調整するカムが設けられていることを特徴とする請求項１〜３の何れか一つに記載の離間した部材への装着装置。
【請求項５】
前記第一及び第二支持部の前記各部材と当接する当接面にはゴム板が貼着され、前記連結部には巻き上げ式のロールスクリーンが設けられていることを特徴とする請求項１〜４の何れか一つに記載の離間した部材への装着装置。
【発明の詳細な説明】
【０００１】
【発明の属する技術分野】
本発明は、相対向する壁面、柱、窓枠などの離間した部材への装着装置に関する。
【０００２】
【従来の技術】
従来より、離間した部材への装着装置として、突っ張り装置が知られている。この突っ張り装置は、両部材に当接する支持部と、両支持部を連結する伸縮自在なポールと、両支持部間に突っ張り力を付与する圧縮バネとを有したもであった。
このような突っ張り式の装着装置を離間した部材間に装着するには、両端の支持部間の距離を、離間した部材間の距離よりも長くなるようにポールの長さを決めてから、バネを圧縮させながら装着する場合と、ポールの長さを短くして離間した部材間に位置決めした後、ポールの長さを延ばすことによりバネを圧縮して固定する場合とがあった。
【０００３】
前記突っ張り装置の固定力は、バネによるものであり、したがって、重量物を支持するものには強いバネが必要であった。
【０００４】
【発明が解決しようとする課題】
強いバネを用いた場合、離間した部材間に取り付けるとき、前記バネに抗する大きな力が必要となり、前記装着装置の取り付けが困難であった。
そこで、本発明は、強いバネを用いた場合でも、取付けが容易になる装着装置を提供することを目的とする。
【０００５】
【課題を解決するための手段】
前記目的を達成するために、本発明は、次の手段を講じた。
即ち、本発明の特徴とするところは、Ｘ、Ｙ、Ｚの直交三軸のＸ方向に離間して配置された部材の内、一方の部材に支持される第一支持部と、他方の部材に支持される第二支持部と、前記第一及び第二支持部を連結する連結部と、前記両支持部をＸ方向に付勢する弾性部材とを有した装着装置において、前記第一支持部は、前記連結部に対して、Ｙ軸心回りに回動可能に設けられ、前記第二支持部を前記他方の部材に当接させて、前記第一支持部を前記一方の部材に対して前記Ｚ方向に移動させることにより、前記第一支持部が前記Ｙ軸心回りに回動して、前記弾性部材の付勢力により前記連結部が前記部材間に固定されるようにした点にある。
【０００６】
前記第一支持部が前記Ｙ軸心回りに所定角度以上回動しないように規制するストッパが設けられているのが好ましい。
前記第一支持部が前記Ｙ軸心回りに回動しないように固定するロック装置が設けられているのが好ましい。
前記連結部に第一ブラケットが設けられ、該第一ブラケットに前記第一支持部が前記Ｙ軸心回りに回動自在に設けられ、前記連結部に第二ブラケットが設けられ、該第二ブラケットに前記第二支持部が前記Ｘ方向に移動自在に設けられると共に前記弾性部材が設けられているのが好ましい。
【０００７】
前記第一及び第二ブラケットは、前記連結部に着脱自在に設けられると共に、少なくとも一方は、前記連結部に対してＸ方向に取付け位置調整自在に設けられているのが好ましい。
換言すると、本発明の課題解決手段は、
第１に、離間して配置された２部材の間に突っ張り状に配置されるべく、一方の部材に支持される第一支持部と、他方の部材に支持される第二支持部と、前記第一及び第二支持部を連結する連結部とが備えられ、
前記連結部に、第一支持部を回動自在に支持する第一ブラケットと、第二支持部を突っ張り方向移動自在に支持する第二ブラケットとが設けられ、
前記第一ブラケットに、２部材の間に押し入れるときに第一支持部を一方の部材に押し当てて回動しながら押し入れて、押し入れた状態で回動を規制するストッパと、このストッパに当接した第一支持部の戻り回動を阻止するロック装置とが設けられ、
前記第二ブラケットに、２部材の間に押し入れるときに前記第二支持部を突っ張り方向に付勢する弾性部材が設けられ、この弾性部材は押し入れた状態で突っ張り強さを強く調整可能にしていることである。
【０００８】
第２に、前記連結部はヘッドレースで形成され、このヘッドレースに対して前記第一ブラケットと第二ブラケットとが突っ張り方向取付け位置調整自在に設けられていることである。
第３に、前記第一支持部は、Ｌ字型の支持板の背面にアームが突設され、このアームに前記一方の部材に沿う支軸が突設されており、前記ロック装置は第一ブラケット内に摺動自在に設けられていて前記アームに第一ブラケットとの隙間に入り込み可能な楔で形成されていることである。
【０００９】
第４に、前記第二支持部は、支持板の背面にアームが突設され、このアームが第二ブラケット内に突っ張り方向摺動自在に嵌合されており、前記弾性部材は第二ブラケット内に設けた圧縮スプリングで形成され、前記第二ブラケット内には回動することにより前記圧縮スプリングの強さを調整するカムが設けられていることである。
第５に、前記第一及び第二支持部の前記各部材と当接する当接面にはゴム板が貼着され、前記連結部には巻き上げ式のロールスクリーンが設けられていることである。
【００１０】
【発明の実施の形態】
以下、図面に基づき、本発明の実施の形態を説明する。
図１、２において、離間した部材への装着装置として例示すものは、窓のブラインド１を窓枠に取り付ける装着装置３である。同図において、窓枠の左右方向をＸ方向、高さ方向をＹ方向、前後方向をＺ方向と呼ぶ。そして、窓枠の左右の縦枠２が、本発明で言うところのＸ方向に離間して配置された部材である。
前記装着装置３は、一方の縦枠２に支持される第一支持部４と、他方の縦枠２に支持される第二支持部５と、前記第一及び第二支持部４，５を連結する連結部６と、前記両支持部４，５をＸ方向に付勢する弾性部材７とを有している。
【００１１】
前記第一支持部４は、前記連結部６に対して、Ｙ軸心回りに回動可能に設けられ、前記第二支持部５を一方の縦枠２に当接させて、前記第一支持部４を他方の縦枠２に対してＺ方向に移動させることにより（図１参照）、前記第一支持部４がＹ軸心回りに回動して、前記弾性部材７の付勢力により前記連結部６が縦枠２，２間に固定されるように構成されている（図２参照）。
前記ブラインド１は、前記連結部６を構成するヘッドレール８と、このヘッドレール８の前面に設けられた巻き上げ式のロールスクリーン９とから構成されている。ヘッドレール８の裏面側にコの字型のレールが設けられている（図７参照）。
【００１２】
このレール８に第一ブラケット１０が着脱自在に、且つ、Ｘ方向に取付け位置調整自在に設けられ、該第一ブラケット１０に前記第一支持部４がＹ軸心回りに回動自在に設けられている。
図３〜図７に前記第一支持部４の詳細が示されている。
前記第一支持部４は、Ｌ字型の支持板１１を有し、そのコーナ内面は、縦枠２に当接する当接面とされ、該当接面にゴム板１２が貼着されている。前記支持板１１の背面にアーム１３が突設され、該アーム１３に支軸１４がＹ方向に突設されている。
【００１３】
前記第一ブラケット１０は、前記支軸１４を回動自在に支持する軸受部１５を有する。この軸受部１５の第１図における左方向は開口し、この開口は、前記支軸１４を嵌合可能とするが、所定の力で押し出さない限り、支軸１４の嵌合が解除されない広さとされている。
前記軸受部１５の図１における上辺左端部は、下辺左端部より短くされている。下辺左端部は、図２に示す如く、支持板１１の背面に当接したとき、支持板１１の当接面が縦枠２に密着し、支持板１１の所定角度以上回動を規制している。
【００１４】
即ち、前記軸受部１５の下辺の左端部は、前記第一支持部４が前記Ｙ軸心回りに所定角度以上回動しないように規制するストッパ１６を構成している。
前記第一ブラケット１０には、図２の装着状態において、第一支持部４のＹ軸まわりの回動を固定するロック装置１７が設けられている。
このロック装置１７は、第一ブラケット１０内に摺動自在に設けられた楔１８と、該楔１８を摺動させる操作部１９とを有し、該操作部１９が第一ブラケット１０から外方に突出している。この操作部１９を、図２の矢印ａ方向に移動させることにより、楔１８が、前記アーム１３とブラケット１０との隙間に入り込み、第一支持部４の回動をロックする。
【００１５】
前記第一ブラケット１０には、ベース２０が取り付けられている。
図７に示すように、前記ベース２０と第一ブラケット１０は、蟻溝構造２１により係脱自在に係合されている。ベース２０には弾性変形自在な舌片２２が設けられ、該舌片２２に突起２３が設けられ、一方、第一ブラケット１０には、前記突起２３に嵌合する凹部２４が設けられている。前記突起２３と凹部２４の係合で、ベース２０と第一ブラケット１０の相対移動が防止されている。
前記ベース２０の一側には、前記ヘッドレール８に嵌合する突条２５が一体的に設けられ、他側には、出入り自在な可動突条２６が設けられている。この可動突条２６は、スプリング２７により突出方向に付勢されている（図５参照）。スプリング２７に抗して突条２６を押し込めることにより、レール８との係合解除をワンタッチ式に行えるよう構成されている。
【００１６】
前記ベース２０には、前記ヘッドレール８に固定するための固定ネジ２８が螺合されている。この固定ネジ２８を押し込んでヘッドレール８に押し付けることにより、ベース２０は、レール８に固定される。
前記レール８に第二ブラケット２９が着脱自在に、且つ、Ｘ方向に取付け位置調整自在に設けられ、該第二ブラケット２９に前記第二支持部５が前記Ｘ方向に移動自在に設けられている。
前記第二支持部５は、Ｌ字型の支持板３０を有し、そのコーナ内面は、縦枠２に当接する当接面とされ、該当接面にゴム板３１が貼着されている。前記支持板３０の背面にアーム３２が突設され、該アーム３２が第二ブラケット２９にＸ方向摺動自在に嵌合している。第二ブラケット２９内には、弾性部材７である圧縮スプリングが設けられ、該弾性部材７が前記アーム３２に当接して支持板３０を図１の右方向に付勢している。
【００１７】
前記第二ブラケット２９には、前記弾性部材７の強さを調整するためのカム３３が回動自在に設けられ、該カム３３を回動操作するツマミ３４が第二ブラケット２９から突出している。図１に示す状態では、弾性部材７である圧縮スプリングの長さが長いため、バネの強さは弱く、図２の矢印ｂ方向にツマミ３４を回わしてカム３３を回動することにより、圧縮スプリングの長さが短くなり、バネの強さが強くなるように構成されている。
この第二ブラケット２９にもベース２０が取り付けられ、このベース２０は、前記第一ブラケット１０に取り付けられたベース２０と同じ構造をしているので、その説明は省略する。
【００１８】
前記構成の実施の形態によれば、第一支持部４側のベース２０の可動突条２６を押し込めて、該ベース２０をブラインド１のヘッドレール８に嵌め入れ、Ｘ方向に位置決めして、固定ネジ２８を締め込み、ベース２０をレール８に固定することにより、第一支持部４がレール８に固定される。
同様にして、第二支持部５をレール８に取り付け、第一支持板１１と第二支持板３０の取付面間の距離が、縦枠２，２間距離よりも長くなるように、第二支持部５側のベース２０をレール８に固定する。
【００１９】
しかして、図１に示すように、第二支持板３０を縦枠２に当接させて、第一支持板１１を所定角度回動させて、縦枠２内面に臨ませる。そして、前記第一支持部４側を縦枠２に対してＺ方向（図１の白抜き矢印方向）に押し込む。そうすると、図２に示すように、第一支持板１１が支軸１４回りに回動して、該第一支持板１１の背面がストッパ１６に当接し、その回動が規制される。そして、第二支持部５側の弾性部材７が圧縮されて、弾性部材７０の付勢力により連結部６であるヘッドレール８が縦枠２，２間に固定される。
【００２０】
而して、ロック装置１７を図２の矢印ａ方向に移動させて、第一支持部４の不慮の回動を防止する。また、カム３３のツマミ３４を図２の矢印ｂ方向に回動して弾性部材７の強さを強くして、縦枠２，２間の取り付けを強固なものにする。
なお、本発明は、前記実施の形態に示すものに限定されるものではなく、例えば、弾性部材７として、引っ張りスプリングを用いて、縦枠２の外面間に取り付けるようにしたものであってもよい。また、両端部の支持部４，５を両方とも第一支持部４と同様の回動自在なものとしても良い。支持板１１，３０は、Ｌ字形に限らず、平坦なものであっても良い。また、連結部６は、単なる伸縮自在な棒体で構成し、その棒体の両端に第一、第二ブラケット１０，２９を取り付けたものであっても良い。
【００２１】
【発明の効果】
本発明によれば、第一支持部を回動自在な構成としたので、取り付けがきわめて容易になった。
【図面の簡単な説明】
【図１】  図１は、本発明の実施の形態を示し、装着装置を窓枠に取り付ける前の状態を示す平面図である。
【図２】  図２は、本発明に係わる装着装置を窓枠に取り付けた状態を示す平面図である。
【図３】  図３は、第一支持部の正面図である。
【図４】  図４は、図３の平面図である。
【図５】  図５は、図３の底面図である。
【図６】  図６は、図３の側面図である。
【図７】  図７は、図５のＡ−Ａ線断面図である。
【符号の説明】
２  離間した部材（縦枠）
３  装着装置
４  第一支持部
５  第二支持部
６  連結部
７  弾性部材
８  ヘッドレール（連結部）
１０  第一ブラケット
１６  ストッパ
１７  ロック装置
２９  第二ブラケット
【図１】
0003830763.tif 000002
【図２】
0003830763.tif 000003
【図３】
0003830763.tif 000004
【図４】
0003830763.tif 000005
【図５】
0003830763.tif 000006
【図６】
0003830763.tif 000007
【図７】
0003830763.tif 000008